(57)【要約】【課題】構造簡易で、固定下枠に凹凸のない引戸装置を提供する。【解決手段】上面が平坦な固定下枠１Ｄに沿って引戸２を開閉可能に設け、固定下枠１Ｄに案内溝26を形成し、この案内溝26に挿入するレール板12を備える。断面略Ｌ型の長尺部材を形成し、この長尺部材の一片11Ａによりレール板12を構成し、他片11Ｂを引戸２に固定する。固定下枠１Ｄの上面は平坦に形成され、この平坦な上面に案内溝26が形成されているだけであるから、車椅子等の通行をスムーズに行うことができる。また、長尺部材の他片11Ｂを引戸２に取り付けることにより、レール板12を簡便に形成することができ、比較的構造簡易であって、耐久性にも優れたものとなる。【選択図】      図１
2004190342.tif 000002
【特許請求の範囲】
【請求項１】
上面が平坦な固定下枠に沿って引戸を開閉可能に設け、前記固定下枠に案内溝を形成し、この案内溝に挿入する１つのレール板を前記引戸に設けた引戸装置において、断面略Ｌ型の長尺部材を形成し、この長尺部材の一片により前記レール板を構成し、他片を前記引戸に固定したことを特徴とする引戸装置。
【請求項２】
前記レール板の端部には、下側が突出した掻上げ部を設けたことを特徴とする請求項１記載の引戸装置。
【請求項３】
前記固定下枠は、凹部を有する固定枠体と、前記凹部内に着脱可能に設けられ前記案内溝を形成する案内溝形成体とを備え、前記案内溝は前記案内溝形成体の幅方向一側に形成されていることを特徴とする請求項１又は２記載の引戸装置。
【請求項４】
固定枠体と、この固定枠体内に設けられた引戸と、この引戸の上枠に設けられ前記固定枠体に乗架する吊車とを備えた引戸装置の改修方法において、前記固定枠体の下枠を、平坦な上面に案内溝を形成した固定下枠に交換し、前記案内溝に挿入する１つのレール板を前記引戸の下部に取り付けることを特徴とする引戸装置の改修方法。
【発明の詳細な説明】
【０００１】
【発明が属する技術分野】
本発明は引戸装置とその改修方法に関する。
【０００２】
【従来の技術】
例えば、引戸装置として、左右の竪枠と、溝付き上枠と、レール付き下枠とから枠組された図示しない構造物に建込み装着された枠体には、左右の竪框と、上框と、戸車付き下框とから枠組み形成された引戸（例えば特許文献１）を設けたものが知られている。ところで、このような戸車付き下框を用いるものでは、下枠の上部にレールが突出するため、高齢者世帯等では、該レールに躓いたり、挟まったりするなどの虞があり、また、車椅子等を使用すると通り難いという問題がある。
【０００３】
そこで、枠を平坦にするために、図１２に示すような引戸装置が開発されている。この引戸装置では、下枠のレール受枠101には、長さ方向の溝部102を形成し、この溝部102に複数の昇降体103を出没自在に設け、これら昇降体103の幅方向両側上部にそれぞれ長さ方向の係合溝104，104を形成すると共に、前記引戸105の下枠に前記両係合溝105，105に係入する長さ方向のレール枠106を設け、前記昇降体103は引戸105を閉める方向（図１６中矢印方向）の前側の昇降体103の後部に、係合凹部107を設け、この係合凹部107に係合する突起状の係合部108を、後側の昇降体103の前部に設けている。
【０００４】
この引戸装置では、図１２に示すように、引戸105を閉めると、前側の昇降体103の後部が上昇し、この前側の昇降体103の前記係合溝104にレール枠106が係入することにより、前側の昇降体103が水平に上昇し、引戸105の移動により順次前側の昇降体103が上昇し、それら昇降体103により引戸105の下枠とレール受枠101との隙間が塞がれ、逆に、引戸105を図１６中、右側に移動すると、自重により昇降体103が溝部102内に没し、昇降体103の上面とレール受枠101の上面とが面一となり、車椅子等を安全に通すことができる。また、建物開口部に架設した上部レールと下部レール溝との間に、横方向走行自在な横引き開閉戸を設置するに、上記下部レール溝に上下並行移動固定自在な底部を内装し、横引き開閉戸の開放時に上記底部が床面と同一面となるように構成した横引き開閉戸の下部レール溝（特許文献２）があり、この引戸では長尺アングル部材にリンク機構を配設している。
【０００５】
【特許文献１】
特公昭５７−２５９６６号公報（第２欄第11〜15行）
【特許文献２】
特開平６−２８０４３８号公報
【０００６】
【発明が解決しようとする課題】
ところで、上記引戸装置では、係合凹部107と突起状の係合部108との係合により昇降体103が出没するものであるから、部品に寸法精度が求められると共に、係合部108が損傷すると、昇降体103が昇降せず、引戸105を開閉できなくなる問題がある。また、レール受枠101と昇降体103との隙間からレール受枠101内にごみが侵入すると、これを除去する作業が煩雑であり、さらに、レール受枠101内にごみが溜ると、昇降体103の動作不慮を起こす虞もある。また、特許文献２のものもリンク機構により長尺アングル部材が出没するから同様な問題が予想される。
【０００７】
そこで、本発明は、構造簡易で、固定下枠に凹凸のない引戸装置を提供することを目的とし、また、案内溝にごみが溜まることを防止できる引戸装置を提供することを目的とし、さらに、固定下枠内の掃除が容易な引戸装置を提供することを目的とし、また、既設の引戸を。固定下枠に凹凸のない引戸装置に容易に改修することができる引戸装置の改修方法を提供することを目的とする。
【０００８】
【課題を解決するための手段】
請求項１の引戸装置は、断面略Ｌ型の長尺部材を形成し、この長尺部材の一片により前記レール板を構成し、他片を前記引戸に固定したものである。
【０００９】
この請求項１の構成によれば、固定下枠の上面は平坦に形成され、この平坦な上面に一の案内溝が形成されているだけであるから、車椅子等の通行をスムーズに行うことができる。また、引戸を閉めた状態では、引戸下部と固定下枠と隙間をレール板が塞ぎ、外部からの風，雨，埃，虫等の侵入を防止でき、防犯性にもう優れる。特に、長尺部材の他片を引戸に取り付けることにより、レール板を簡便に形成することができ、比較的構造簡易であって、耐久性にも優れたものとなる。
【００１０】
また、請求項２の引戸装置は、前記覆板の端部には、下側が突出した掻上げ部を設けたものである。
【００１１】
この請求項２の構成によれば、引戸を開閉する毎に、案内溝に侵入したごみを掻上げ部が掻き上げるため、ごみが案内溝に溜まることを防止できる。
【００１２】
さらに、請求項３の引戸装置は、前記固定下枠は、凹部を有する固定枠体と、前記凹部内に着脱可能に設けられ前記案内溝を形成する案内溝形成体とを備え、前記案内溝は前記案内溝形成体の幅方向一側に形成されているものである。
【００１３】
この請求項３の構成によれば、案内溝形成体を取り外して凹部内の清掃を行うことができる。また、他片を引戸に固定することにより、レール板は引戸幅方向の一側に位置し、これに対して前記案内溝を前記案内溝形成体の幅方向一側に形成したから、固定下枠を引戸の幅方向に対応して設けることができ、これにより引戸の下部から外側に露出する固定下枠部分を少なくすることができる。
【００１４】
請求項４の改修方法は、前記固定枠体の下枠を、平坦な上面に案内溝を形成した固定下枠に交換し、前記案内溝に挿入する１つのレール板を前記引戸の下部に取り付ける方法である。
【００１５】
この請求項４の構成によれば、固定下枠に突出部分がある引戸装置を改修することにより、固定下枠が平坦でこの固定下枠と引戸下部との間をレール板により塞いだ引戸装置とすることができ、特に、長尺部材を引戸の下部に取り付けることにより、極めて簡便にレール板を設けることができる。
【００１６】
【発明の実施形態】
以下、本発明の実施形態を、添付図面を参照して説明する。図１〜図１０は本発明の第１実施形態を示し、本発明を両開き式の自動ドアに適用した例であり、固定枠体１は、図示しない構造物に建込み装着され、上枠１Ｕと固定下枠１Ｄとを有する。また、図９及び図１０に示すように、引戸２は、上枠２Ｕと下枠２Ｄとこれらの長さ方向両側の竪枠２Ｌ，２Ｒとからなり、図示しないセンサーにより人を検知すると、図示しない電動開閉駆動装置により左右の引戸２，２が中央から外側に開く両開き式のものである。そして、前記各枠１Ｕ，１Ｄ，２Ｕ，２Ｄ，２Ｌ，２Ｒはアルミの押し出し成型品や鋼製品等により形成される。前記上枠１Ｕ内には、幅方向左右にレール４，４が該上枠１Ｕの長さ方向全長に設けられ、それらレール４，４に吊車５，５が移動可能に乗架され、この吊車５が連結部材６を介して前記上枠２Ｕに連結されている。また、前記引戸２の下枠２Ｄは錠７を内蔵し、この錠７は露出した操作部８を操作することにより、下面からストッパ９が出没するものである。
【００１７】
図１、図６及び図８等に示すように、前記下枠２Ｄの下面には長尺部材11が設けられ、この長尺部材11はステンレス製の山型鋼等からなる。前記長尺部材11は断面略Ｌ型で一片11Ａがレール板12を構成し、他片11Ｂをビス等の固定手段13により前記下枠２Ｄに取付固定し、他片11Ｂを横向き、一片11Ａを縦向きとする。そして、一片11Ａと他片11Ｂがほぼ直交方向をなす。また、他片11Ｂの幅は下枠２Ｄの下面の幅より狭く形成されている。また、他片11Ｂには前記ストッパ９に対応してストッパ挿通部14を開設している。さらに、前記レール板12の長さ方向端部には、掻上げ部15が設けられ、この掻上げ部15は前記レール板12の長さ方向端部に彎曲状の凹部15Ａを形成し、その下端に突出した先端部15Ｂを設けてなる。尚、図９に示すように、レール板12の両端に掻上げ部15を設けており、レール板12は引戸２の長さとほぼ同じ長さを有する。また、図６中、16は固定手段13を挿通する透孔であり、前記固定手段13はビスなどの固定解除可能なものであるから、掃除や交換などの際には、固定手段であるビスを緩めて引戸２から長尺部材11を取り外すこともできる。
【００１８】
図１及び図２等に示すように、前記固定下枠１Ｄは、ステンレス製で上部が開口したコ字形の底枠20と、ステンレス製からなる固定枠体21と、この固定枠体21に着脱可能に設けられる複数の案内溝形成体22とからなる。前記固定枠体21は、ステンレス板を曲げ加工して形成され、略コ字型の凹部23と平坦な上面部24と上面部24の端部に設けた垂設部25とからなる。そして、上記上面部24が床面Ｙとほぼ面一になるように固定した枠１Ｄが設けられる。
【００１９】
前記案内溝形成体22は、その上面の幅方向一側に案内溝26を形成し、この案内溝26の幅方向一側に薄肉の立上り壁部27を有し、この立上り壁部27の上面と同一高さの段部28を案内溝26の幅方向他側に形成し、その段部28の上方で幅方向他側に平坦な上面部29を形成し、この上面部29の幅方向他側に段部28Ａを形成する。また、前記上面部29及び段部28，28Ａは、ステンレス製の補強枠30に覆われており、この補強枠30はコ字形で下部が開口した形状をなす。そして、段部28は補強枠30の厚さより幅広に形成され、段部28より下方に位置する前記案内溝26の他側面26Ｂがレール板12の摺動案内面となり、また、案内溝26の立上り壁部の内面である案内溝26の一側面26Ａがレール板12の摺動案内面となる。前記案内溝形成体22は、前記補強枠30を除いて合成樹脂等からなり、この合成樹脂としては、樹脂ゴムや塩化ビニールなどのステンレスより摩擦係数の低いものを用いることが好ましい。そして、図１に示すように、前記固定枠体21内に前記案内成形体22を挿入配置すると、補強枠30の上面と固定枠体21の上面部24，24とが面一となる。また、引戸２は、その下枠２Ｄの下面が前記上面部24，27と離間した位置で開閉する。尚、前記レール板12の厚さは１．５ミリ程度で、前記案内溝26の幅は４ミリ程度であり、その案内溝26の幅を１０ミリ以下とし、レール板12の厚さの２倍程度、好ましくは３〜６ミリ程度とする。そして、固定枠体21に複数の前記案内溝構成体22を並べて連続する案内溝26が形成される。
【００２０】
前記固定枠体21には、図６及び図７に示すように、前記案内溝形成体22を位置決め固定する固定具31が設けらている。この固定具31は、当て板部32の上部に覆い板部33を設け、前記当て板部32に案内杆34を突設し、この案内杆34にコイルスプリングなどの弾機35を配置してなる。
【００２１】
図５及び図６に示すように、41は前記凹部23内に配置する鍵受けであって、前記案内溝形成体22と同一高さであり、前記凹部23と同一幅の板状のベース部42と、このベース部42に一体に設けたボックス部43とを備え、このボックス部43の上部は開口し、前記凹部23内に配置した状態で、前記ボックス部43の他側面43Ｍとベース板42の上面と凹部23の内面との間に前記案内溝26と連通する案内溝連通部44が形成され、この案内溝連通部44を前記案内溝26に比べて両側に広く形成することにより、該案内溝連通部44に前記レール板12が摺動することがない。また、前記他側面43Ｍの下部には、ボックス部43内と案内溝連通部44とを連通する排出孔45が穿設されている。また、図９に示すようにベース部42をビスなどの固定手段46を用いて前記固定枠体21に固定する。尚、図６に示すように、前記ベース部42には、固定枠体21の長さ方向に長い長孔47を形成したから、固定枠体21への鍵受け41の位置調整が容易となる。また、固定手段46はビスなどの固定解除可能なものであるから、掃除などの際には、固定手段であるビスを緩めて固定枠体21から鍵受け41を取り外すことができる。
【００２２】
そして、図７及び図９に示すように、固定枠体21の凹部23に複数の前記案内溝構成体22と鍵受け41とを並べ、凹部23の端部に固定具31を配置し、弾機35により押圧固定する。この状態で、弾機35は無負荷の状態より収縮しており、その弾性復元力により案内溝形成体22を押しており、一方、この状態からさらに収縮可能になっている。したがって、案内溝形成体22を図９中右側に移動させると、弾機35がさらに収縮し、このように右側の案内溝形成体22を弾機35に抗して右側に動かせば、隣合う案内溝形成体22の間に隙間ができ、案内溝形成体22を固定枠体21から取り外すことができる。また、前記固定具31の覆い板部33の上面は、前記上面部24と面一をなしている。また、覆い板部33の一側縁と凹部23との間には前記案内溝26に連通する隙間が形成されており、この隙間をレール板12が移動可能になっている。尚、定尺（一定長さ）の案内溝形成体22を用意し、現場や工場で寸法調整のために案内溝形成体22を切断して固定枠体21の長さに合わせるようにする。
【００２３】
前記固定下枠１Ｄには、排水機構51が設けられている。この排水機構51は、前記案内溝形成体22の下面のほぼ中央に凹溝52を形成し、この凹溝52は前記案内溝形成体22の全長に渡って形成され、さらに、複数設けられる案内溝形成体22，22の少なくとも１つには、前記案内溝26と凹溝52とを連通する左右方向の連通部53が形成され、この連通部53は凹溝状をなす。さらに、前記固定枠体21には、前記凹溝52と連通する排水口54が形成され、この排水口54には排水管55が設けられている。そして、前記凹溝52，連通部53及び排水口54により、前記排水機構51を構成している。尚、連通部53は、固定枠体21内に複数設けられる案内溝形成体22の少なくとも１個に設けられていればよい。
【００２４】
上記のような引戸装置では、既設の引戸において、既設の固定下枠を固定下枠１Ｄに交換し、既設の引戸２の下部に長尺部材11を固定手段13により固定して改修工事を行う。
【００２５】
次に前記構成につき、その作用を説明すると、まず、引戸２が開くと、固定下枠１Ｄには、案内溝26があるだけで、床面Ｙと固定下枠１Ｄとが平坦に形成されているから、車椅子等の通行をスムーズに行うことができ、かつ歩行においても邪魔になる部分がない。また、引戸２が開閉すると、レール板12が案内溝26内に沿って移動するため、安定して引戸２が開閉する。この場合、レール板12の下端の両側は、合成樹脂の一側面26Ａと他側面26Ｂが位置しているから、一側面26Ａと他側面26Ｂにレール板12が当たってもスムーズに摺動することができる。また、案内溝形成体22の上面は、補強枠30により保護されているから、案内溝形成体22の上面が損傷することがない。そして、引戸２を閉めた状態では、引戸２と固定下枠１Ｄとの間がレール板12により塞がれるため、外部からの風，雨，埃等の侵入を防止でき、さらに、防火機能も向上する。
【００２６】
また、外部から案内溝26内にごみが侵入しても、引戸２を開閉すると、レール板12の端部に掻上げ部15が設けられているため、この掻上げ部15により、案内溝26のごみを上方に掻上げ、これにより、ごみが案内溝26に溜まることを防止できる。したがって、引戸２を開閉する毎に、ごみの堆積を防止できる。また、外部から案内溝26内に水が侵入しても、この水は連通部53から下部中央の凹溝52内に流れ込み、排水口54から外部に排水される。尚、水洗いにより、案内溝26内のごみを、連通部53，凹溝52及び排水口54から洗い流すこともできる。さらに、案内溝形成体22を取り外して清掃を行う場合は、固定具31の隣の案内溝形成体22を固定具31側に押してやり、これにより固定具31の反対側で隣合う案内溝形成体22との間に隙間ができるから、この案内溝形成体22を取り外し、さらに他の案内溝形成体22を取り外し、案内溝形成体22及び固定枠体21の凹部23の清掃を行うことができる。清掃後、案内溝形成体22を凹部23内に嵌め入れ、固定具31の隣の案内溝形成体22を固定具31側に押し付けた状態で位置固定し、最後に入れる案内溝形成体22の分の隙間を形成しておき、最後の案内溝形成体22を挿入した後、前記固定具31の隣の案内溝形成体22をフリーにすれば、弾機35の弾性復元力により、全ての案内溝形成体22が押さえ付けられて固定される。
【００２７】
このように本実施例では、請求項１に対応して、上面が平坦な固定下枠１Ｄに沿って引戸２を開閉可能に設け、固定下枠１Ｄに案内溝26を形成し、この案内溝26に挿入する１つのレール板12を引戸２に設けた引戸装置において、断面略Ｌ型の長尺部材11を形成し、この長尺部材11の一片11Ａによりレール板12を構成し、他片11Ｂを引戸２に固定したから、固定下枠１Ｄの上面は平坦に形成され、この平坦な上面に一の案内溝26が形成されているだけであるから、車椅子等の通行をスムーズに行うことができる。また、引戸２を閉めた状態では、引戸２下部と固定下枠１Ｄと隙間をレール板12が塞ぎ、外部からの風，雨，埃等の侵入を防止できる。特に、長尺部材11の他片11Ｂを引戸２に取り付けることにより、レール板12を簡便に形成することができ、比較的構造簡易であって、耐久性にも優れたものとなる。
【００２８】
また、このように本実施例では、請求項２に対応して、レール板12の端部には、下側が突出した掻上げ部15を設けたものであるから、引戸２を開閉するごとに、案内溝26に侵入したごみを掻上げ部15が掻き上げるため、ごみが案内溝26に溜まることを防止でき、長期に渡って引戸２をスムーズに開閉することができる。
【００２９】
さらに、請求項３の発明は、下枠１Ｄは、凹部23を有する固定枠体21と、凹部23内に着脱可能に設けられ案内溝26を形成する案内溝形成体22とを備え、前記案内溝は前記案内溝形成体の幅方向一側に形成されているものであるから、案内溝形成体22を取り外して凹部23内の清掃を行うことができる。また、他片11Ｂを引戸２に固定することにより、レール板12は引戸２の幅方向の一側に位置し、これに対して案内溝26を案内溝形成体22の幅方向一側に形成したから、固定下枠１Ｄを引戸２の幅方向に対応して設けることができ、これにより引戸２の下部から外側に露出する固定下枠１Ｄ部分を少なくすることができる。
【００３０】
このように本実施形態では、請求項４に対応して、固定枠体１と、この固定枠体１内に設けられた引戸２と、この引戸２の上枠２Ｕに設けられ固定枠体１に乗架する吊車５とを備えた引戸装置の改修方法において、固定枠体１の下枠１Ｄを、平坦な上面に案内溝26を形成した固定下枠１Ｄに交換し、前記案内溝26に挿入する１つのレール板12を引戸２の下部に取り付けるから、固定下枠に突出部分がある引戸装置を改修することにより、固定下枠１Ｄが平坦でこの固定下枠１Ｄと引戸２の下部との間をレール板12より塞いだ引戸装置とすることができ、特に、長尺部材11を引戸２の下部に取り付けることにより、極めて簡便にレール板12を設けることができる。
【００３１】
また、実施例上の効果として、案内枠形成体22を、ステンレス鋼より摩擦係数の低い合成樹脂製とすれば、引戸２をスムーズに開閉できると共に、接触音等の発生も防止できる。また、案内溝26の幅は１０ミリ以下であるから、歩行者の靴が引っ掛かったりするようなこともない。また、固定具31は、装着状態で案内溝形成体22を長さ方向に押圧すると共に、該案内溝形成体22を固定枠体21の長さ方向に移動可能と可能とする弾機35を備えるものであるから、１つの案内溝形成体22を弾機35に抗して長さ方向に移動し、案内溝形成体22，22の間に隙間を形成することにより、案内溝形成体22の着脱を容易に行うことができる。また、固定具31の上部を、覆い板部33で覆ったから、固定具31部分の固定下枠１Ｄの上面も平坦となる。さらに、排水機構51は案内溝26と排水口54とを連通する連通部53及び凹溝52を備えるから、案内溝26に侵入した水等をスムーズに排出することができる。さらに、前記固定枠体21をステンレス製にすると共に、長尺部材11をステンレス製とすることにより、耐久性に優れたものとなる。また、長尺部材11にステンレス製などのの型鋼を用いることにより、極めて安価なものとすることができる。さらに、凹部23に収納する鍵受け41を形成したから、引戸２の鍵７への対応が極めて簡便に行うことができる。また、図９に示すように、両側の引戸２，２の合わせ目Ｐに跨って案内溝形成体22を配置したから、引戸装置の中央に案内溝形成体22の合わせ目がなく、引戸２を安定して開閉できる。また、引戸２の幅幅方向一側を構造物の外側、他側を構造物の内側とすれば、レール12が外側となるから、外部からの風，雨，埃，虫等の侵入を効果的に防止でき、また、レール12によりストッパ９が隠されるから防犯性にも優れたものとなる。
【００３２】
図１１は本発明の第２実施形態を示し、上記第１実施例と同一部分に同一符号を付し、その詳細な説明を省略して詳述すると、この例では、既設の引戸装置は、引戸２の下面に開口した凹溝61を有し、既設の固定下枠に突出した案内レール（図示せず）が前記凹溝61に係入するタイプのものである。したがって、この例では、前記凹溝61の深さに対応して前記一片11Ａを長く形成し、前記凹溝61の上面61Ａに前記他片11Ｂを固定手段13により固定する。
【００３３】
このように本実施形態においても、上記第１実施形態と同様な作用・効果を奏し、このように各種タイプの新設あるいは既設の引戸２に本発明は適用可能であり、既設の自動ドアなどの引戸２の改修にも適したものとなる。
【００３４】
尚、本発明は上記実施例に限定されるものではなく本発明の要旨の範囲内において種々の変形実施が可能である。例えば、掻上げ部の形状は適宜選定可能であるが、上部が内上斜め向きであることが好ましい。また、上面部24が傾斜して上面部27に対して斜めであっても、上面が凹凸のない平坦であることにかわりはない。さらに、案内溝形成体の材質は木製でもよく、この場合も覆板より硬度の低いものを用いるほうが、覆板の耐久性の面から好ましい。また、改修方法においては、長尺部材は断面略Ｌ型に限らず、略Ｔ形や板状など各種形状のものを用いることができる。また、１つのレール板は、長さ方向に分割されていてもよい。
【００３５】
【発明の効果】
請求項１の引戸装置は、断面略Ｌ型の長尺部材を形成し、この長尺部材の一片により前記レール板を構成し、他片を前記引戸に固定したものであり、構造簡易で、固定下枠に凹凸のない引戸装置を提供することができる。
【００３６】
また、請求項２の引戸装置は、前記覆板の端部には、下側が突出した掻上げ部を設けたものであり、案内溝にごみが溜まることを防止でき、構造簡易で、固定下枠に凹凸のない引戸装置を提供することができる。
【００３７】
さらに、請求項３の引戸装置は、前記固定下枠は、凹部を有する固定枠体と、前記凹部内に着脱可能に設けられ前記案内溝を形成する案内溝形成体とを備え、前記案内溝は前記案内溝形成体の幅方向一側に形成されているものであり、構造簡易で、固定下枠内の掃除が容易となり、固定下枠に凹凸のない引戸装置を提供することができる。
【００３８】
請求項４の改修方法は、前記固定枠体の下枠を、平坦な上面に案内溝を形成した固定下枠に交換し、前記案内溝に挿入する１つのレール板を前記引戸の下部に取り付ける方法であり、構造簡易で、固定下枠に凹凸のない引戸装置に既設の引戸を改修することができる。
【図面の簡単な説明】
【図１】本発明の第１実施形態を示す引戸下部の断面図である。
【図２】同上、引戸下部の分解断面図である。
【図３】同上、案内溝形成体の斜視図である。
【図４】同上、固定下枠の要部の断面図である。
【図５】同上、鍵受けの斜視図である。
【図６】同上、要部の分解斜視図である。
【図７】同上、要部の斜視図である。
【図８】同上、長尺部材の正面図である。
【図９】同上、引戸装置の正面図である。
【図１０】同上、引戸上部の断面図である。
【図１１】本発明の第２実施形態を示す要部の断面図である。
【図１２】従来例を示す引戸の要部の正面図である。
【符号の説明】
１  固定枠体
１Ｄ  固定下枠
２  引戸
２Ｄ  下枠
５  吊車
11  長尺部材
11Ａ  一片
11Ｂ  他片
12  レール板
15  掻上げ部
21  固定枠体
22  案内溝形成体
26  案内溝
【図１】
2004190342.tif 000003
【図２】
2004190342.tif 000004
【図３】
2004190342.tif 000005
【図４】
2004190342.tif 000006
【図５】
2004190342.tif 000007
【図６】
2004190342.tif 000008
【図７】
2004190342.tif 000009
【図８】
2004190342.tif 000010
【図９】
2004190342.tif 000011
【図１０】
2004190342.tif 000012
【図１１】
2004190342.tif 000013
【図１２】
2004190342.tif 000014